(57)【特許請求の範囲】
【請求項１】
直列接続された複数のバッテリセル（１）を有するバッテリの前記バッテリセル（１）のセルバランシングのための装置であって、
各前記バッテリセル（１）と接続され又は接続可能な測定装置であって、前記バッテリセル（１）の全バッテリ電圧の最小セル電圧に比例する電流を形成し、及び、直列接続された複数の抵抗器（３）に対して前記電流を出力するよう構成され、その際、前記抵抗器（３）の数ｎ個は前記測定装置と接続され又は接続可能なバッテリセル（１）の数に等しい、前記測定装置と、
複数（ｎ−１）の電位再現装置（１２、１３）であって、各前記電位再現装置（１２、１３）は、前記複数の抵抗器（３）の隣接する２つの抵抗器（３）の間に接続され、及び、割り当てられた前記バッテリセル（１）の第１の極の電位を再現し、各前記隣接する２つの抵抗器（３）の第１の抵抗器（３）へ前記第１の極の電位を出力するよう構成される、前記電位再現装置（１２、１３）と、
を備える、前記装置において、
割り当てられた前記バッテリセル（１）の第２の極と接続された第１の入力口と、前記各隣接する抵抗器（３）の第２の抵抗器（３）と接続された第２の入力口と、各放電ユニット（１５）の制御電極と接続された出力口と、をそれぞれが有し、前記第１の入力口に印加された第１の電圧と、前記第２の入力口に印加された電圧と、を比較して前記比較の結果に依存する制御信号を出力するよう構成されるｎ個の比較器（１４）であって、前記放電ユニット（１５）は、各前記バッテリセル（１）に対して並列に接続され、前記制御信号に従って、各前記バッテリセル（１）から放電電流を流させるよう構成される、前記ｎ個の比較器（１４）を備えることを特徴とする、装置。
【請求項２】
前記放電ユニット（１５）は、切り替え可能な電流源を備え、
前記電流源は、前記制御信号の第１の論理的レベルに応じて前記放電電流を流させ、前記制御信号の第２の論理的レベルに応じて前記放電電流の流れを止めるよう構成される、請求項１に記載の装置。
【請求項３】
前記切り替え可能な電流源は、
電流制限抵抗器（１６）と、
スイッチ（１７）と、
を備え、
前記スイッチ（１７）の制御電極は、前記放電ユニット（１５）の前記制御電極を形成する、請求項２に記載の装置。
【請求項４】
前記比較器（１４）は、前記割り当てられたバッテリセル（１）のセル電圧が、オフセット電圧を加えた前記バッテリセル（１）の全セル電圧の前記最小セル電圧よりも大きい場合には、前記第１の論理的レベルを有する前記制御信号を出力するよう構成される、請求項２又は３のいずれか１項に記載の装置。
【請求項５】
前記電位再現装置はそれぞれ、
ｐｎｐトランジスタ（１３）と、
ｎｐｎトランジスタ（１２）と、
を備え、
前記ｐｎｐトランジスタ（１３）のベースは、前記割り当てらえたバッテリセル（１）の前記第１の極と接続され、前記ｐｎｐトランジスタ（１３）のエミッタは、前記ｎｐｎトランジスタ（１２）のベースと接続され、前記ｎｐｎトランジスタ（１２）のエミッタは、各前記隣接する２つの抵抗器（３）のうちの第１の抵抗器（３）と接続される、請求項１〜４のいずれか１項に記載の装置。
【請求項６】
直列接続された前記複数の抵抗器（３）はそれぞれ、前記バッテリセル（１）の全セル電圧の前記最小セル電圧を、前記バッテリセル（１）の全セル電圧の前記最小セル電圧に比例する前記電流で割った商に相当する抵抗器値を有する、請求項１〜５のいずれか１項に記載の装置。
【請求項７】
前記測定装置はｎ個の差動増幅器を有し、
各前記差動増幅器は一対のトランジスタ（２−１、２−２）を備え、前記一対のトランジスタのエミッタ又はソースは互いに接続されて電流源（１０）のための入力口と接続され、前記一対のトランジスタの制御電極は、前記差動増幅器の２つの信号入力口のぞれぞれと接続される、請求項１〜６のいずれか１項に記載の装置。
【請求項８】
前記差動増幅器のうちの第１の差動増幅器の前記電流源（１０）のための前記入力口は、電流源（１０）と接続され、前記一対のトランジスタ（２−１、２−２）のうちの一方の前記トランジスタ（２−２）の集電器又はドレインは、前記差動増幅器のうちの他の前記差動増幅器の前記電流源（１０）のための前記入力口と接続され、従って、前記差動増幅器のカスケード化が生じる、請求項７に記載の装置。
【請求項９】
複数の直列接続されたバッテリセル（１）と、
前記バッテリセル（１）と接続された請求項１〜８のいずれか１項に記載の装置と、
を備えたバッテリ。
【請求項１０】
車両であって、
前記車両を駆動するための電動機と、
前記電動機と接続された請求項９に記載のバッテリと、
を備えた車両。
【発明の詳細な説明】
【技術分野】
【０００１】
本発明は、直列に接続された複数のバッテリセルを備えたバッテリのバッテリセルのバランシング（電荷平衡）のための装置に関し、その際に、本発明に基づいて、マイクロコントローラによる制御は必要ではなく、上記装置は自立的に動作する。
【背景技術】
【０００２】
将来的に、定置型の利用において、及び、ハイブリット車又は電気自動車のような車両においても、バッテリシステムが益々使用されることが明らかである。電圧と、提供される電力とに対する各用途について与えられる要請を満たしうるために、数多くのバッテリセルが直列に接続される。バッテリセルの故障は、直列接続のためにバッテリの故障に繋がり、さらにシステム全体の故障へと繋がるため、特に安全性に関わる適用については、バッテリの信頼性に対する要求が高い。バッテリと個々のバッテリセルとの状態を可能な限り正確に把握し、差し迫ったバッテリセルの故障を適時に検出しうるために、バッテリ又はバッテリセルの他のパラメータと並んで、特にバッテリセルの電圧も定期的に測定される。従来技術では、所謂セルバランシングを実施する数多くの方法、即ち、バッテリの様々なバッテリセルの充電状態を互いに平衡化しようと試みてバッテリの寿命に対して有益な影響を与える方法が公知である。このために、バッテリには、個々のバッテリセルのセル電圧、及び、バッテリ温度、並びに、バッテリ電流のような他の測定値を測定して中央制御ユニット（例えば、マイクロコントローラ）へと伝達するユニットが備えられる。制御ユニットは、各バッテリセルについての伝達された測定データから各充電状態を計算し、及び、セルバランシングを実行するために必要な、例えば充電状態がより高いバッテリセルを部分的に放電させることによりバッテリ内でバッテリセル間の電荷平衡をもたらす制御信号を生成する。その際に、制御ユニットは、更なる別のタスクを果たすためにバッテリの外部に配置される。
【発明の概要】
【発明が解決しようとする課題】
【０００３】
しかしながらこのことには、高いバッテリ電圧（バッテリ駆動型システムの場合数百ボルトであることが多い）と、外部から接触することが可能な低電圧ネットワーク内の、制御ユニットのような構成要素との間の短絡を故障の場合に防止するために、データパス内に絶縁体を配置するというような比較的コストが掛かる安全対策を取らねばならないという欠点がある。
【課題を解決するための手段】
【０００４】
従って、本発明によれば、直列接続された複数のバッテリセルを有するバッテリのバッテリセルのセルバランシングのための装置が導入される。装置は、各バッテリセルと接続され又は接続可能な測定装置を備え、測定装置は、バッテリセルの全バッテリ電圧の最小セル電圧に比例する電流を形成し、直列接続された複数の抵抗器に対して出力するよう構成される。その際に、抵抗器の数ｎ個は、測定装置と接続され又は接続可能なバッテリセルの数と等しい。装置はさらに、複数の抵抗器の隣接する２つの抵抗器の間に接続され、及び、割り当てられたバッテリセルの第１の極の電位を再現し、各隣接する２つの抵抗器の第１の抵抗器へと出力するよう構成された複数（ｎ−１）の電位再現装置を有する。装置はさらに、割り当てられたバッテリセルの第２の極と接続された第１の入力口と、各隣接する抵抗器の第２の抵抗器と接続された第２の入力口と、各放電ユニットの制御電極と接続された出力口と、をそれぞれが有するｎ個の比較器を備える。比較器は、第１の入力口に印加された第１の電圧と、第２の入力口に印加された電圧と、を比較して比較の結果に依存する制御信号を出力するよう構成される。その際、放電ユニットは、各バッテリセルに対して並列に接続され、制御信号に従って、各バッテリセルから放電電流を流させるよう構成される。
【０００５】
本発明は、バッテリのバッテリセルのセルバランシングを完全に自立的に行うことが可能であり、即ち、バッテリの外部に配置された制御装置による制御を省略することが可能であるという利点を有する。このためには、全バッテリセルの最小セル電圧を決定し個々のバッテリセルのセル電圧とこの最小セル電圧とを比較する簡単な電気回路のみ必要である。所与のバッテリセルのセル電圧が最小セル電圧よりも大きい場合には、バッテリセルは、割り当てられた放電ユニットによって放電される。
【０００６】
本発明に基づいて、このようにして、このような制御装置が通常その内部に配置される低電圧ネットワークに対して、バッテリを絶縁するためのコストが掛かる対策を省略することが可能である。
【０００７】
好適に、放電ユニットは、切り替え可能な電流源を備え、この電流源は、制御信号の第１の論理的レベルに応じて放電電流を流させ、制御信号の第２の論理的レベルに応じて電流の流れを止めるよう構成される。切り替え可能な電流源は、簡素な、従って好適な実現において、電流制限抵抗器と、スイッチと、を備え、スイッチの制御電極は、放電ユニットの制御電極を形成する。放電電流は、本実施形態ではさらに、放電されるバッテリセルのセル電圧に対して比例するようになるため、好適に、既に比較的強く放電されたバッテリセルは、セルバランシングの枠組みにおいて、充電状態がより高いバッテリセルよりも弱く放電される。
【０００８】
比較器は、好適に、割り当てられたバッテリセルのセル電圧が、オフセット電圧を加えたバッテリセルの全セル電圧の最小セル電圧よりも大きい場合には、第１の論理レベルを有する制御信号を出力するよう構成される。これにより、短期間に変動するセル電圧又は雑音のような、放電ユニットの、邪魔になる連続的で速い切り替えを引き起こしうる動的な影響を抑制することが可能である。
【０００９】
電位再現装置はそれぞれ、ｐｎｐトランジスタと、ｎｐｎトランジスタと、を備え、ｐｎｐトランジスタのベースは、割り当てらえたバッテリセルの第１の極と接続され、ｐｎｐトランジスタのエミッタは、ｎｐｎトランジスタのベースと接続され、ｎｐｎトランジスタのエミッタは、各隣接する２つの抵抗器のうちの第１の抵抗器と接続される。本実施形態の電位再現装置は、２つのトランジスタのベース・エミッタ電圧が互いに引き上げるため、ｐｎｐトランジスタのベースの電位が、非常に厳密にｎｐｎトランジスタのエミッタで再現されるという利点を有する。その際にさらに、有利に、２つのトランジスタのベース・エミッタ電圧の温度動作が、広い温度範囲に渡って等しく又は少なくとも非常に類似しているため、ベース・エミッタ電圧の互いの補正は温度に依存して行われる。
【００１０】
直列接続された複数の抵抗器はそれぞれ、バッテリセルの全セル電圧の最小セル電圧を、バッテリセルの全セル電圧の最小セル電圧に比例する電流で割った商に相当する抵抗値を有する。
【００１１】
測定装置はｎ個の差動増幅器を有し、各差動増幅器は１対のトランジスタを備え、上記１対のトランジスタのエミッタ又はソースは互いに接続されて電流源のための入力口と接続され、上記１対のトランジスタの制御電極は、差動増幅器の２つの信号入力口のそれぞれと接続される。その際に好適に、差動増幅器のうちの第１の差動増幅器の電流源のための入力口は、電流源と接続され、上記１対のトランジスタのうちの一方のトランジスタの集電器又はドレインは、差動増幅器のうちの他の差動増幅器の電流源のための入力口と接続され、従って、差動増幅器のカスケード化が生じる。差動増幅器のこのカスケード化は、各差動増幅器が、自身より上位に配置される差動増幅器のための電流源として機能するという利点を有する。しかしながら、２つのブランチを有する差動増幅器の機能形態に基づいて、電流は、差動増幅器の入力口に印加された電圧に従って、差動増幅器の１つのブランチ内のみを流れる。従って、２つの入力口の電圧が等しく、又は、各バッテリセルの電圧が、各差動増幅器の他方の入力口に接続された抵抗器の電圧よりも大きい場合にのみ、電流は、全ての差動増幅器を通って、従って測定装置を通って流れることが可能である。これにより、測定装置の出力口の電流を、全セル電圧の最小セル電圧に対して比例するように調整する制御システムが獲得される。
【００１２】
本発明の第２の観点は、直列接続された複数のバッテリセル、好適にリチウムイオンバッテリセルと、バッテリセルと接続された発明の第１の観点に係る装置と、を備えるバッテリが導入される。
【００１３】
本発明の第３の観点は、車両を駆動するための電動機と、電動機と接続された第２の観点に係るバッテリと、を備えた車両に関する。
【図面の簡単な説明】
【００１４】
本発明に係る実施例は、図面と以下の明細書の記載によってより詳細に記載され、その際に、同一の符号は、同一又は機能が同種の構成要素を示す。
【図１】本発明の枠組みにおいて使用される測定装置の第１の実施例を示す。
【図２】本発明の枠組みにおいて使用される測定装置の第２の実施例を示す。
【図３】本発明の枠組みにおいて使用される測定装置の第３の実施例を示す。
【図４】本発明に係る比較器及び本発明の枠組みにおいて使用される放電ユニットの第１の実施例を示す。
【図５】本発明に係る比較器及び本発明の枠組みにおいて使用される放電ユニットの第２の実施例を示す。
【発明を実施するための形態】
【００１５】
図１は、本発明の枠組みにおいて使用される測定装置の第１の実施例を示す。図１及び図２は、本発明の枠組みにおいて使用される測定装置の機能形態の解説のために役立つ。図３は、複数のバッテリセルを用いて利用するための測定装置の可能な実現を示す。図１〜図３では、図４及び図５で示す更なる別の回路要素が、本発明に基づき接続する接続点Ａ、Ｂ、Ｃ、及びＤに印が付けられている。図４及び図５では、接続点Ａ、Ｂ、Ｃ、及びＤにそれぞれ割り当てられた接続が、同じ印を利用して示される。
【００１６】
線に対して直列に他のバッテリセルと接続されたバッテリセル１の第１の極は、トランスインピーダンス増幅器２の２つの入力口の一方と接続される。トランスインピーダンス増幅器２の第２の入力口は、抵抗器３の一の端子と接続され、抵抗器３の他方の端子は、バッテリセル１の残りの極と接続される。トランスインピーダンス増幅器２の出力口は、示される例ではｎｐｎトランジスタとして実現された流量調整弁４の制御電極と接続される。しかしながら、他の種類のトランジスタ又は複雑な回路も、流量調整弁４として使用されうる。流量調整弁４は、抵抗器３の、トランスインピーダンス増幅器２と接続された端子と、全ての実施例で例示的に示される本来の電圧測定装置と、の間に接続される。この電圧測定装置は、公知の抵抗値を有する基準抵抗器５と、基準抵抗器５で落ちる電圧を測定する電圧器６と、を備えうる。
【００１７】
トランスインピーダンス増幅器２は、バッテリセル１のセル電圧と、抵抗器３で落ちる電圧とを比較し、２つの電圧の差分にその値が比例する出力電流を形成する。この出力電流は、流量調整弁４の制御電極に到達するが、この制御電極には、最適な目標電流源９を接続することが可能である。この目標電流源９は一定の電流を導き、流量調整弁４の動作点の調整のために役立つ。トランスインピーダンス増幅器２の出力電流は、場合によっては目標電流源９の一定の電流を除いて、流量調整弁４を通る電流を制御する。より多くの電流に流量調整弁４を通らせるほど、抵抗器３で落ちる電圧が大きくなる。このことによって、トランスインピーダンス増幅器２の一の入力口の電圧は、トランスインピーダンス増幅器２の他の入力口の電圧に比例して上昇し、これにより入力電圧の差分が減少し、トランスインピーダンス増幅器２も、対応して自身の出力電流を低減する。しかしながら、抵抗器３を介して流れる電流が少な過ぎる場合には、トランスインピーダンス増幅器２は、対応して再びより多くの電流を、流量調整弁４の制御電極へと流させる。
【００１８】
これにより、トランスインピーダンス増幅器２と抵抗器３と流量調整弁４とを備える調整セルの調整効果に基づき、抵抗器３の電圧がセル電圧と等しく保たれるように導くフィードバックが獲得される。トランスインピーダンス増幅器２の入力口は理想的には高インピーダンスで実現されるため、抵抗器３を通って流れる全電流が流量調整弁４も通って流れ、電圧と抵抗器と電流との間のリニアな相関に基づき、セル電圧のための正確な基準となる。電流は、その実際の値に注目する場合には、他の場所でも測定が可能であろう。例えば、電流が、それ自体は測定装置に属さない基準抵抗器５を介して案内され、これにより、セル電圧から直接的にその高さが得られる電圧に変換され、その場所で、バッテリセル１のバッテリ極の通常の高い可変的な電位に依存せずに、従って安全に測定されることによって測定が可能であろう。その際には、場合によってはさらに、基準抵抗器５に対する抵抗器３の値の比を示す補正係数が考慮される。示される例ではバイポーラトランジスタとして実現された流量調整弁４のベース電流によって、流量調整弁４により出力される電流の誤りを防止するために、例えば、ＭＯＳＦＥＴ（ｍｅｔａｌ−ｏｘｉｄｅ  ｓｅｍｉｃｏｎｄｕｃｔｏｒ  ｆｉｅｌｄ−ｅｆｆｅｃｔ  ｔｒａｎｓｉｓｔｏｒ、モス電界効果トランジスタ）又はＩＧＢＴ（Ｉｎｓｕｌａｔｅｄ  Ｇａｔｅ  Ｂｉｐｏｌａｒ  Ｔｒａｎｓｉｓｔｏｒ、絶縁ゲートバイポーラトランジスタ）を利用することが可能である。
【００１９】
図２は、本発明の枠組みにおいて使用される測定装置の第２の実施例を示し、ここでは、トランスインピーダンス増幅器２が差動増幅器として実現される。トランスインピーダンス増幅器２は、差動増幅器内へと電流を印加する電流源１０のための端子を有する。差動増幅器の２つのブランチの２つのトランジスタ２−１及び２−２のどちらが、より大きな入力電圧を獲得するかに従って、電流源１０の電流が、一のトランジスタ又は他のトランジスタを通って流れる。トランジスタ２−１を通って流れる電流は、トランジスタ２−３及び２−４を備える電流ミラーを介してミラーされて出力される。従来技術における差動増幅器の機能形態は良く知られているため、ここで更に詳細には述べない。図１の実施例とは異なって、流量調整弁４は、ｐｎｐトランジスタとして実現され、これにより、トランジスタ２−４により出力された、トランスインピーダンス増幅器２のより少量の出力電流が、流量調整弁４の制御電極の電圧の低下、及び、ｐｎｐトランジスタとして実現された流量調整弁のベース・エミッタ電圧の上昇をもたらす。上昇したベース・エミッタ電圧はさらに、流量調整弁４を通る電流の上昇をもたらし、結果的に再び所望のフィードバックが獲得される。
【００２０】
しかしながら、流量調整弁４は、ｎｐｎトランジスタとして実現することも可能であろう。この場合には、トランジスタ２−３は簡単に、差動増幅器の他方のブランチに（バッテリセル１の正極とトランジスタ２−２との間に）接続されうるであろう。
【００２１】
電流源９は、好適に、電流源１０の電流の半分に相当する電流を流す。調整セルの定常状態において、電流源１０の電流は、理想的には、差動増幅器の２つのブランチの同じ構成要素に分けられる。この場合には、トランジスタ２−４も、電流源１０の電流の半分に相当する電流を出力し、従って、流量調整弁４の制御電極の電圧は一定に保たれる。しかしながら、電流源９の代わりに、例えば、簡素な抵抗器又は他の適切な切り替え手段を使用することも可能であろう。
【００２２】
図３は、本発明の枠組みで使用される測定装置の第３の実施例を示す。本実施例では、複数の調整セルが構成されてカスケード化される。トランスインピーダンス増幅器２は再び差動増幅器として構成されるが、各差動増幅器のブランチを通って流れる電流は、上位の差動増幅器のための電流源として機能する。最下位の差動増幅器は、例えば電流源９と共に電流ミラーとして構成することが可能な電流源１０と接続される。但し、当然のことながら、電流源９及び１０の他の実現形態も可能である。
【００２３】
トランスインピーダンス増幅器２の他に、抵抗器３もカスケード化される。トランスインピーダンス増幅器のカスケードは、１つの出力電流のみ出力するため、トランジスタとして又は示された形態のうちの他方の形態により実現可能な流量調整弁４が１つ設けられる。
【００２４】
抵抗器３が電流の流れに対して影響を与えることなく、各抵抗器３の上流の電位を、各割り当てられたバッテリセル１の正極の電位に対して調節するために、さらに、より下位の調整セルでは、例えば１対のトランジスタ１２及び１３を備えることが可能な電位再現装置が設けられる。その際に、カスケード化されたトランジスタ１３によって電流を制限するために、さらに好適に抵抗器１１が設けられる。しかしながら、トランジスタ１２及び１３、並びに抵抗器１１の代わりに、抵抗器３の電位をバッテリセル１の正極の電位に対して調整する他の回路も設けることが可能である。
【００２５】
差動増幅器の、バッテリセル１と接続された入力口は、抵抗器２−７及び２−８から形成される分圧器を有することが可能である。なぜならば、それ以外の場合には、十分に高い電位が、最上位の差動増幅器についてはもはや集電器に提供されず、又は、最下位の差動増幅器についてはもはやトランジスタ２−１及び２−２のエミッタに提供されないだろうからである。
【００２６】
図３の測定装置は、複数のバッテリセル１のセル電圧を同時に測定することが可能であるが、全てのバッテリセル１の最小セル電圧のみが測定されるという特別な特徴を有する。即ち、差動増幅器のカスケードにより出力される電流は、図３の実施例では、全てのセル電圧の最小セル電圧に比例する。図３の測定装置は、当然のことながら、２つのバッテリセル１のためにも、又は、より大きな数のバッテリセルのためにも実現されうる。
【００２７】
本発明によれば、更なる別のバッテリセルのセル電圧と最小電圧とを比較し、差分が十分に大きい場合には、更なる別のバッテリセルのセル電圧を適切に下げることが出来るために、全てのバッテリセル１の最小セル電圧が決定される。このセルバランシングによって、全てのバッテリセルの充電状態が互いに調整され、このことが、バッテリの寿命に対して有益な影響を与える。本発明が、最小セル電圧を決定するための簡素な手段、及び、電圧を比較するための手段、及び、バッテリセルを放電させるための手段を提供することにより、バッテリ内で完全に自立的に、マイクロコントローラ等のようなコストが掛かる構成要素を取り入れることなく機能しうる、セルバランシングのための装置を実現することが可能である。
【００２８】
図４は、本発明に係る比較器及び本発明の枠組みにおいて使用される放電ユニットの第１の実施例を示している。比較器１４は、好適に、その２つの入力口間で発生する電圧差に比例する出力電圧を形成する通常の差動増幅器として実現される。差動増幅器の高い増幅度に基づいて、既に小さい電圧差が、差動増幅器の出力電圧としての条件を満たすことになり、従って、この出力電圧が２進値の制御信号として見なされうる。この制御信号は、放電ユニット１５の制御入力口へと出力され、放電ユニット１５は、制御信号の論理的レベルに従って、放電ユニット１５と接続されたバッテリセルを放電させ、又は、接続点ＣとＤとの間の電流の流れが、放電ユニット１５によって抑制される。放電ユニット１５は好適に、例えばバイポーラトランジスタとして又は電界効果トランジスタとして実現可能なスイッチングトランジスタ１７を備える。スイッチングトランジスタ１７は、この場合には、比較器１４により生成された制御信号によって直接的に切り替えられる。バッテリセルの放電の場合に放電ユニット１５によって電流の流れを制限するために、好適に、制限抵抗器１６が設けられる。
【００２９】
図５は、本発明に係る比較器及び本発明の枠組みにおいて使用される放電ユニットの第２の実施例を示す。第２の実施例は、比較器１４の入力口の一方が、電圧源１８を介して、割り当てられた接続点と接続されるという点で、第１の実施例と異なっている。電圧源１８は、比較器１４の入力口での電圧を変更する差動電圧を形成する。これにより、比較器１４は、オフセット電圧を考慮して制御信号の論理的レベルを生成する。これにより、比較器１４及び放電ユニット１５と接続されたバッテリセルは、当該バッテリセルのセル電圧が、少なくともオフセット電圧の分だけ、最小セル電圧よりも大きい場合に初めて放電され、これにより、雑音、負荷変動、又はその他の動的な作用等の悪影響による誤った放電を防止することが可能である。
【図１】
0005629016.tif 000002
【図２】
0005629016.tif 000003
【図３】
0005629016.tif 000004
【図４】
0005629016.tif 000005
【図５】
0005629016.tif 000006